(57)【要約】【課題】本発明は、タッチパネル端面を保護することができる表示装置を提供することを目的とする。【解決手段】本発明の表示装置は、前面が開口した枠状のフロントパネル１と、このフロントパネル１に嵌合して筐体を構成するリアパネル６と、フロントパネル１とリアパネル６の内部に配設された板状のディスプレイ４と、このディスプレイの前面を覆う板状のタッチパネル３と、このタッチパネル３の前面に配設された枠状のホルダ２とを備え、ホルダ２は、フロントパネル１とタッチパネル３との間に配設され、枠体１７によってタッチパネル３の端面を覆うとともに狭持することを特徴とする。【選択図】図１
2012063473.tif 000002
【特許請求の範囲】
【請求項１】
前面が開口した枠状のフロントパネルと、
このフロントパネルに嵌合して筐体を構成するリアパネルと、
前記フロントパネルとリアパネルの内部に配設された板状の表示パネルと、
この表示パネルの前面を覆う板状のタッチパネルと、
このタッチパネルの前面に配設された枠状のホルダとを備え、
前記ホルダは、前記フロントパネルと前記タッチパネルとの間に配設され、枠によって前記タッチパネルの端面を覆うとともに狭持することを特徴とする表示装置。
【請求項２】
前記ホルダの枠の各辺から内側に突出した内側リブ部をさらに備え、
この内側リブ部が前記タッチパネルの端面に当接して前記タッチパネルを狭持することを特徴とする請求項１に記載の表示装置。
【請求項３】
前記ホルダの枠の各辺から外側に突出した外側リブ部をさらに備え、
この外側リブ部が前記フロントパネルの枠の内部に当接して前記ホルダを前記フロントパネルに固定することを特徴とする請求項２に記載の表示装置。
【請求項４】
前記ホルダは、樹脂で構成されたことを特徴とする請求項３に記載の表示装置。
【請求項５】
前記ホルダは、枠を構成する一の長辺に前記タッチパネルを嵌合する嵌合部、枠を構成する他の長辺に前記タッチパネルをガイドするガイド部を有し、
前記ガイド部は前記嵌合部よりも後方に突出したことを特徴とする請求項４に記載の表示装置。
【発明の詳細な説明】
【技術分野】
【０００１】
本発明は、ディスプレイの前面にタッチパネルを設けた表示装置に関する。
【背景技術】
【０００２】
従来、表示装置に設けられたタッチパネルの端面は、金属で構成される筐体に当接していた。（例えば、特許文献１、２を参照）。
【先行技術文献】
【特許文献】
【０００３】
【特許文献１】特開２００２−１３１７２４号公報
【特許文献２】特開平５−１１９３３８号公報
【発明の概要】
【発明が解決しようとする課題】
【０００４】
しかし、この場合、タッチパネルが筐体に直接当接しているため、表示装置が振動したときにタッチパネル端面が筐体から衝撃を受けてしまう。このため、タッチパネル端面を十分に保護できないという問題があった。
【０００５】
本発明は、従来の問題を解決するためになされたもので、タッチパネル端面を保護することができる表示装置を提供することを目的とする。
【課題を解決するための手段】
【０００６】
上記目的を達成するため、本発明の表示装置は、タッチパネルの前面に配設された枠状のホルダを備え、このホルダが、フロントパネルとタッチパネルとの間に配設され、枠によってタッチパネルの端面を覆うとともに狭持することを特徴とした。
【発明の効果】
【０００７】
本発明によれば、タッチパネル端面を保護することができる表示装置を提供することができる。
【図面の簡単な説明】
【０００８】
【図１】本実施形態における表示装置の分解斜視図
【図２】本実施形態における表示装置の斜視図
【図３】同図１の要部であるホルダの斜視図
【図４】同図１の要部であるフロントパネルからタッチパネルまでの拡大図
【図５】同図１の要部であるフロントパネルにタッチパネルとホルダが取り付けられた状態を説明する背面図
【図６】同図５のＡ−Ａ断面をＢ方向から見たときの断面図
【図７】同図６における領域Ｅの拡大図
【図８】同図５のＣ−Ｃ断面をＤ方向から見たときの断面図
【図９】同図８における領域Ｆの拡大図
【図１０】同図５における領域Ｇの拡大図
【発明を実施するための形態】
【０００９】
以下、本発明の実施形態に係る表示装置について図面を用いて説明する。
【００１０】
図１は本実施形態における表示装置の分解斜視図である。図２は本実施形態における表
示装置の斜視図である。
【００１１】
図１に示すように、表示装置は、前方から順に、フロントパネル１と、ホルダ２と、タッチパネル３と、ディスプレイ４と、載置パネル５と、リアパネル６とを備える。
【００１２】
フロントパネル１は金属で構成されている。フロントパネル１は前面が開口した枠形状に形成されている。これによって、フロントパネル１の開口からタッチパネル３が露出し、ディスプレイ４を視認可能になる。フロントパネル１はリアパネル６と結合して筐体を形成する。そして、フロントパネル１とリアパネル６によって形成された内部にホルダ２、タッチパネル３、ディスプレイ４、載置パネル５を収容する。
【００１３】
ホルダ２は、樹脂で構成されている。ホルダ２は、前面が開口した枠形状に形成されている。ホルダ２は、タッチパネル３に取り付けられてタッチパネル３の端面を覆う。例えば、ホルダ２の背面側から枠内にタッチパネル３が固定されたとき、ホルダ２はタッチパネル２前面の端部や側面の端部を覆う。
【００１４】
タッチパネル３は抵抗膜とこの抵抗膜を覆う透明なガラスで構成される。タッチパネル３は平面状に形成される。ホルダ２を取り付けられたタッチパネル３はフロントパネル１の枠内に載置される。このとき、ホルダ２の枠前面がフロントパネル１の枠背面と当接しており、タッチパネル３とフロントパネル１とは直接当接しない。タッチパネル３とフロントパネル１との間には空隙もしくはホルダ２が介在している。したがって、タッチパネル３は、ホルダ２によってフロントパネル１と非接触に保持される。そして、フロントパネル１の開口から露出したタッチパネル３の前面が外部からの押圧によって入力操作される。
【００１５】
ディスプレイ４は例えば液晶で構成され、平面状に形成される。ディスプレイ４は、前面の映像表示部分以外の周囲（側面や背面）を金属枠で覆われている。ディスプレイ４の前面の外周も金属で覆われている。ディスプレイ４がフロントパネル１の枠内に差し込まれたとき、ディスプレイ４側面の左右に設けられた第１の穴部７にフロントパネル１側面の左右からそれぞれ内側に突出する第１の爪部８が嵌合する。これによって、ディスプレイ４がフロントパネル１に押圧されて固定される。このとき、ディスプレイ４の前面外周は、タッチパネル３の背面に載置される。また、フロントパネル１側面の左右に設けられた第２の穴部９に図示しないネジが挿通される。このネジは、ディスプレイ４側面の左右に設けられた第３の穴部１０に螺合される。これによって、ディスプレイ４はフロントパネル１に螺合される。
【００１６】
載置パネル５は、金属で構成され、背面に図示しない回路基板が取り付けられている。載置パネル５の上下側面には後方に折り曲げられた第１の折り曲げ部１１が設けられている。図２に示すように、フロントパネル１に載置パネル５を取り付ける際に、第１の折り曲げ部１１の内側面は、フロントパネル１の上下側面から後方に突出する突出部１２の外側面と当接する。
【００１７】
載置パネル５の上下側面には前方に折り曲げられた第２の折り曲げ部１３が設けられている。第２の折り曲げ部１３は開口を有する。図２に示すように、第２の折り曲げ部１３は、フロントパネル１の上下側面に設けられた第２の爪部１４と嵌合する。これによって、載置パネル５は、フロントパネル１に固定される。
【００１８】
載置パネル５の前面には第１のクッション１５が設けられている。載置パネル５がフロントパネル１に固定される際に、第１のクッション１５がディスプレイ４を押圧する。これによって、フロントパネル１と載置パネル５が、ホルダ２を取り付けたタッチパネル３
とディスプレイ４を狭持する。したがって、タッチパネル３とディスプレイ４の前後方向へのガタツキが防止される。また、第１のクッション１５は表面が導電性物質で覆われている。このため、ディスプレイ４の表面積で構成されるグランド面積が載置パネル５の表面積分だけ拡大する。これによって、ディスプレイ４のノイズ低減効果を高めることができる。
【００１９】
図１、図２に示すように、リアパネル６に載置パネル５を取り付ける際に、第１の折り曲げ部１１の外側面は、リアパネル６の上下側面から陥没したロック部１６の外側面と当接する。ロック部１６は第３の爪部１６ａを有する。第３の爪部１６ａは、第１の折り曲げ部１１に設けられた開口１１ａに嵌合する。これによって、載置パネル５はリアパネル６に固定される。したがって、第１折り曲げ部１１とロック部１６の嵌合による載置パネル５とリアパネル６の固定、および、第２折り曲げ部１３と第２の爪部１４の嵌合による載置パネル５とフロントパネル１の固定によって、フロントパネル１とリアパネル６とが固定される。
【００２０】
そして、第１の折り曲げ部１１、突出部１４、ロック部１６にそれぞれ設けられた開口１１ｂ、１２ｂ、１６ｂは互いに連通している。図２に示すように、この開口１１ｂ、１２ｂ、１６ｂを介してフロントパネル１、載置パネル５、リアパネル６は螺合される。
【００２１】
なお、フロントパネル１に載置パネル５が取り付けられた際に、フロントパネル１の突出部１２に設けられた開口１２ａは、開口１１ａと上下方向に連通する。第３の爪部１６ａは開口１１ａに嵌通してもよい。これによって、フロントパネル１とリアパネル６との固定がより強固になる。
【００２２】
次に、ホルダ２について詳細に説明する。
【００２３】
図３は、図１に示されたホルダ２の斜視図である。図４は、図１に示されたフロントパネル１からタッチパネル３までの拡大図である。図５は、図１に示されたフロントパネル１にタッチパネル３とホルダ２が取り付けられた状態を説明する背面図である。図６は図５のＡ−Ａ断面をＢ方向から見たときの断面図である。図７は図６における領域Ｃの拡大図である。図８は図５のＤ−Ｄ断面をＥ方向から見たときの断面図である。図９は図８における領域Ｆの拡大図である。図１０は図５における領域Ｇの拡大図である。
【００２４】
図３〜図５に示すように、ホルダ２は、前面側が内側に向かってフランジ状に延びている枠体１７と、この枠体１７のフランジ部分に形成された複数の切り欠き部１８と、枠体１７の上側、かつ、後面側から鍵状に下方に延びた第４〜第６の爪部１９ａ〜１９ｃと、枠体１７の下側部分から後方に延びたガイド部２０とを有する。図３〜図５に示されるように、第４の爪部１９ａ、第５の爪部１９ｂ、第６の爪部１９ｃは、それぞれ枠体１７の上側の中央、右方、左方に設けられる。
【００２５】
図４に示されるように、タッチパネル３は、下面から延出するプリント配線２１と、背面の周囲に張り巡らされた第２のクッション２２とを有する。プリント配線２１は載置パネル５上の図示しない電子回路と電気的に結合する。また、第２のクッション２２は、ディスプレイ４と当接する。したがって、ディスプレイ４がタッチパネル３上に載置された場合、タッチパネル３の後面とディスプレイ４の前面（表示面）とは直接当接せず、空隙が介在する。
【００２６】
図５に示されるように、ホルダ２の枠体１７の内周はタッチパネル３の外周と略同じ大きさに形成される。図７に示されるように、タッチパネル３はホルダ２のフランジ部分２３に載置される。このとき、タッチパネル３の前面はホルダ２のフランジ部分２３に当接
する。
【００２７】
また、図５に示されるように、タッチパネル３の上下左右の端面は枠体１７の上下左右の内側端面と当接する。例えば図９に示されるようにタッチパネル３の上端は枠体１７の上辺における内側端面と当接する。このとき、タッチパネル３の上側部分は、枠体１７のフランジ部分２３と第４〜第６の爪部１９ａ〜１９ｃとの間に差し込まれる。そして、枠体１７のフランジ部分２３と第４〜第６の爪部１９ａ〜１９ｃとによってタッチパネル３の前面側と後面側を狭持される。例えば、図７に示されるように、枠体１７の上側部分のうち第４〜第６の爪部１９ａ〜１９ｃが設けられていない部分では、枠体１７のフランジ部分２３にタッチパネル３の前面側が当接する。
【００２８】
また、図９に示されるように、枠体１７の上側部分のうち第４の爪部１９ａは、前後の先端の角が欠けている。これによって、タッチパネル３を上側からホルダ２に斜めに差し込む際に、タッチパネル３の前面や背面に第４の爪部１９ａ先端の角が当たらない。したがって、タッチパネル３を傷付けることなく滑らかにホルダ２に挿入することができる。第５・第６の爪部１９ｂ、１９ｃについても同様に前後の先端の角が欠けており、第４の爪部１９ａと同様の効果を得ることができる。ホルダ２への載置後、タッチパネル３と第４〜第６の爪部１９ａ〜１９ｃとの間には空隙が介在する。ただし、第２のクッション２２の後面にディスプレイ４が載置されることによって、タッチパネル３の後方へのガタツキは防止される。
【００２９】
一方、タッチパネル３前面の下側部分は枠体１７のフランジ部分２３に載置される。また、図８に示されるように、タッチパネル３の下端はガイド部２０の内側面と当接する。ガイド部２０は第４〜第６の爪部１９ａ〜１９ｃよりも後方に突出している。これによって、タッチパネル３の下端をガイド部２０の内側の面に滑らせて、タッチパネル３をホルダ２に取り付けやすくすることができる。
【００３０】
図３、図１０に示すように、枠体１７は、枠体１７の外側端面から突出する外側リブ２４と、枠体１７の内側端面から突出する内側リブ２５とを有する。外側リブ２４は、フロントパネル１の内側面と当接する。内側リブ２５は、タッチパネル３の端面と当接する。ホルダ２に外側リブ２４と内側リブ２５を設けることによって、ホルダ２へのタッチパネル３の取り付け、フロントパネル１へのホルダ２の取り付けに際して、枠体１７全体ではなく外側リブ２４と内側リブ２５という枠体１７の一部の寸法設定や加工をすればよくなる。したがって、外側リブ２４と内側リブ２５を設けることによって設計精度や加工精度を高めることができる。ひいては、ホルダ２へのタッチパネル３の取り付け、フロントパネル１へのホルダ２の取り付けを容易にすることができる。
【００３１】
なお、内側リブ２５によって、枠体１７が熱変形した場合であっても形状変化の影響を抑えてホルダ２にタッチパネル３を固定することができる。また、外側リブ２４によって、枠体１７が熱変形した場合であっても形状変化の影響を抑えてホルダ２をフロントパネル１に固定することができる。
【００３２】
以上のように、本発明によれば、ホルダ２によってタッチパネル３の前面の端部、側面の端部を覆うことができる。したがって、ホルダ２の取り付けによってタッチパネル３の端面をフロントパネル１との接触から保護することができる。
【産業上の利用可能性】
【００３３】
本発明に係る表示装置は、操作入力にタッチパネルを用いる場合に有用である。
【符号の説明】
【００３４】
１    フロントパネル
２    ホルダ
３    タッチパネル
４    ディスプレイ
５    載置パネル
６    リアパネル
１７  枠体
【図１】
2012063473.tif 000003
【図２】
2012063473.tif 000004
【図３】
2012063473.tif 000005
【図４】
2012063473.tif 000006
【図５】
2012063473.tif 000007
【図６】
2012063473.tif 000008
【図７】
2012063473.tif 000009
【図８】
2012063473.tif 000010
【図９】
2012063473.tif 000011
【図１０】
2012063473.tif 000012